(57)【要約】【課題】搬送物の各搬送ローラの間の凹部への入り込みを防止するとともに、搬送能力が低下したり、搬送物が停止して滞留したりすることなく、安定して搬送物を搬送可能なローラコンベヤ装置を提供すること。【解決手段】コンベヤフレーム１３０が複数の搬送ローラ１１１を保持するローラコンベヤ装置１００において、複数の搬送ローラ１１１が、搬送ローラ１１１の幅より狭い無端状の補助ベルト１４０を掛け渡されていること。【選択図】図１
2009208949.tif 000002
【特許請求の範囲】
【請求項１】
搬送物の搬送面を構成する複数の搬送ローラと、該複数の搬送ローラをその軸周りに回転可能に並列配置して保持するコンベヤフレームを有するローラコンベヤ装置において、
前記複数の搬送ローラが、該複数の搬送ローラの幅より狭い無端状の補助ベルトを掛け渡されていることを特徴とするローラコンベヤ装置。
【請求項２】
前記搬送ローラが、前記補助ベルトの幅方向両側を案内するリング部を備えていることを特徴とする請求項１に記載のローラコンベヤ装置。
【請求項３】
前記搬送ローラが、前記補助ベルトを収容して案内する溝部を備えていることを特徴とする請求項１に記載のローラコンベヤ装置。
【請求項４】
前記コンベヤフレームが、前記補助ベルトの幅方向両側を案内するガイド部材を備えていることを特徴とする請求項１に記載のローラコンベヤ装置。
【発明の詳細な説明】
【技術分野】
【０００１】
本発明は、搬送物の搬送面を構成する複数の搬送ローラと、該複数の搬送ローラをその軸周りに回転可能に並列配置して保持するコンベヤフレームを有するローラコンベヤ装置に関するものである。
【背景技術】
【０００２】
従来、搬送物の搬送装置において、搬送面に搬送物を載置して搬送方向に搬送するための装置として、ローラコンベヤ装置が知られている。
【０００３】
そして、これらのローラコンベヤ装置５００は、図６に示すように、搬送物Ｗの搬送面を構成する複数の搬送ローラ５１０と、該複数の搬送ローラ５１０のその軸５２０周りに回転可能に並列配置して保持するコンベヤフレーム５３０を有し、搬送ローラ５１０が駆動され、あるいは自由回転して搬送物Ｗを分岐コンベア装置５９０に向かって搬送するようになっている（例えば、特許文献１参照。）。
【０００４】
このような従来のローラコンベヤ装置は、図７に示すように、搬送面が並列する円筒状の搬送ローラ５１０の頂点５１５を結ぶ仮想平面Ｈで構成され、実際は隣り合う各搬送ローラ５１０の頂点５１５間は凹部５５０となっているため、搬送物Ｗが仮想平面Ｈより下に変形した場合、搬送物Ｗの前端が凹部５５０に入り込み各搬送ローラ５１０の頂点５１５より下の部分５１６に接触して搬送抵抗となり、最悪の場合、搬送物Ｗが停止して滞留する可能性があった。
また、傾斜したベルトコンベヤ装置から水平部に搬送物の受け渡しをするような用途においては、水平部のコンベヤ装置としてローラコンベヤ装置を使用すると、前述と同様に凹部５５０に搬送物Ｗの前端が凹部５５０に入り込み各搬送ローラ５１０の頂点５１５より下の部分５１６に接触して搬送抵抗となり、最悪の場合、搬送物Ｗが停止して滞留する可能性があるため、通常はベルトコンベヤ装置が使用されており、同様の理由で、ローラコンベヤ装置同士の乗り継ぎ時の相対角度も、３°〜５°程度の場合にのみ使用されていた。
【０００５】
このような変形する搬送物を搬送する際や、コンベヤ乗り継ぎ時の相対角度が大きい場合は、ローラコンベヤ装置ではなく搬送面が実際の平面形状に構成できるベルトコンベヤ装置等を使用するのが一般的であった。
また、変形する搬送物を搬送するローラコンベヤ装置６００として、図８、図９に示すように、搬送物Ｗの搬送面を構成する複数の搬送ローラ６１０と、該複数の搬送ローラ６１０の軸６２０を回転可能に並列配置して保持するコンベヤフレーム６３０を有し、補助ベルト６４０をコンベヤフレーム６３０に固定して複数の搬送ローラ６１０の搬送面側に設けて、補助ベルト６４０の搬送面側の摩擦係数を小さくし搬送物Ｗを滑らせて搬送することによって、搬送物Ｗの変形による各搬送ローラ６１０の間の凹部６５０への入り込みを防止するものが知られている（例えば、特許文献２参照。）。
【特許文献１】特許第３２２８２６６号公報（第１頁、図７）
【特許文献２】実開昭６２−６８９０５号公報（第１頁、図１）
【発明の開示】
【発明が解決しようとする課題】
【０００６】
しかしながら、搬送面が平面で構成されるベルトコンベヤ装置等はローラコンベヤ装置と比較して装置が複雑かつ高価であり、また、ローラコンベヤ装置の利点である搬送ローラ間の凹部を利用した搬送物のスライドや滞留等のため各種付加装置の設置が極めて困難であるという問題があった。
また、従来の補助ベルトを備えたローラコンベヤ装置は、補助ベルトが固定されており搬送物との摩擦が生じるため、搬送抵抗が大きくなり搬送能力が低下したり、搬送物が停止して滞留したりするという問題があった。
【０００７】
本発明は、前述したような従来技術の問題を解決するものであって、すなわち、本発明の目的は、搬送物の搬送面を構成する複数の搬送ローラと、該複数の搬送ローラをその軸周りに回転可能に並列配置して保持するコンベヤフレームを有するローラコンベヤ装置において、簡単な構成でローラコンベヤ装置としての機能を損なうことなく、変形や乗り継ぎ時の相対角度による搬送物の各搬送ローラの間の凹部への入り込みを防止するとともに、搬送能力が低下したり、搬送物が停止して滞留したりすることなく、安定して搬送物を搬送可能なローラコンベヤ装置を提供することである。
【課題を解決するための手段】
【０００８】
本請求項１に係る発明は、搬送物の搬送面を構成する複数の搬送ローラと、該複数の搬送ローラをその軸周りに回転可能に並列配置して保持するコンベヤフレームを有するローラコンベヤ装置において、前記複数の搬送ローラが、該複数の搬送ローラの幅より狭い無端状の補助ベルトを掛け渡されていることにより、前記課題を解決するものである。
【０００９】
本請求項２に係る発明は、請求項１に記載されたローラコンベヤ装置の構成に加えて、前記搬送ローラが、前記補助ベルトの幅方向両側を案内するリング部を備えていることにより、前記課題をさらに解決するものである。
【００１０】
本請求項３に係る発明は、請求項１に記載されたローラコンベヤ装置の構成に加えて、前記搬送ローラが、前記補助ベルトを収容して案内する溝部を備えていることにより、前記課題をさらに解決するものである。
【００１１】
本請求項４に係る発明は、請求項１に記載されたローラコンベヤ装置の構成に加えて、前記コンベヤフレームが、前記補助ベルトの幅方向両側を案内するガイド部材を備えていることにより、前記課題をさらに解決するものである。
【発明の効果】
【００１２】
本発明のローラコンベヤ装置は、搬送物の搬送面を構成する複数の搬送ローラと、該複数の搬送ローラをその軸周りに回転可能に並列配置して保持するコンベヤフレームを有することにより、ローラコンベヤ装置本来の利点である搬送ローラ間の凹部を利用した搬送物のスライドや滞留等のため各種付加装置の設置が可能であるとともに、以下のような格別の効果を奏することができる。
【００１３】
すなわち、本請求項１に係る発明のローラコンベヤ装置は、複数の搬送ローラが、該複数の搬送ローラの幅より狭い無端状の補助ベルトを掛け渡されていることによって、各搬送ローラの間の凹部において搬送物の底面の一部を補助ベルトが支持し、変形や乗り継ぎ時の相対角度によって搬送物が各搬送ローラの間の凹部に入り込むことを防止できるため、搬送能力が低下したり、搬送物が停止して滞留したりすることなく搬送することができる。
【００１４】
そして、本請求項２に係る発明のローラコンベヤ装置は、請求項１に係るローラコンベヤ装置が奏する効果に加えて、搬送ローラが、前記補助ベルトの幅方向両側を案内するリング部を備えていることにより、補助ベルトが搬送ローラの幅方向に蛇行することを防止できるため、搬送能力が低下したり、搬送物が停止して滞留したりすることのない搬送を安定して行うことができる。
【００１５】
また、本請求項３に係る発明のローラコンベヤ装置は、請求項１または請求項２に係るローラコンベヤ装置が奏する効果に加えて、搬送ローラが、前記補助ベルトを収容して案内する溝部を備えていることにより、補助ベルトの厚みによる搬送面の段差をなくすことができるとともに、補助ベルトが搬送ローラの幅方向に蛇行することを防止できるため、搬送能力が低下したり、搬送物が停止して滞留したりすることのない搬送を安定して行うことができる。
【００１６】
また、本請求項４に係る発明のローラコンベヤ装置は、請求項１に係るローラコンベヤ装置が奏する効果に加えて、コンベヤフレームが、前記補助ベルトの幅方向両側を案内するガイド部材を備えていることにより、補助ベルトが搬送ローラの幅方向に蛇行することを防止できるため、搬送能力が低下したり、搬送物が停止して滞留したりすることのない搬送を安定して行うことができるとともに、搬送ローラの形態を従来のローラコンベヤ装置の搬送ローラと同様のものとすることができ、ガイド部材の位置の変更のみで多様な補助ベルトの掛け渡し形態に対応できるため、汎用性を高めることができる。
【発明を実施するための最良の形態】
【００１７】
本発明のローラコンベヤ装置は、搬送物の搬送面を構成する複数の搬送ローラと、該複数の搬送ローラをその軸周りに回転可能に並列配置して保持するコンベヤフレームを有するローラコンベヤ装置において、前記複数の搬送ローラが、該複数の搬送ローラの幅より狭い無端状の補助ベルトを掛け渡されて、簡単な構成でローラコンベヤ装置としての機能を損なうことなく、変形や乗り継ぎ時の相対角度による搬送物の各搬送ローラの間の凹部への入り込みを防止するとともに、搬送能力が低下したり、搬送物が停止して滞留したりすることなく、安定して搬送物を搬送可能という効果を発揮するものであれば、その具体的な実施態様は如何なるものであっても何ら構わない。
【００１８】
すなわち、本発明の補助ベルトは、１本だけであっても良く、複数本を搬送ローラの幅方向の複数個所に並べても良い。
また、本発明の補助ベルトは、ローラコンベヤ装置の搬送方向の全ての搬送ローラに渡って掛け渡しても良く、一部の搬送ローラにのみ掛け渡しても良い。
さらに、複数本の補助ベルトを、ローラコンベヤ装置の搬送方向の複数組の搬送ローラに掛け渡しても良く、搬送方向、幅方向ともに掛け渡す搬送ローラや掛け渡す幅方向の位置を適宜組み合わせても良い。
【００１９】
そして、本発明で用いる補助ベルトの形状は、平型の帯状、丸型、あるいは、表面に突起を有するもの等いかなるものでも良く、また、補助ベルトの材質も、ゴム、合成樹脂あるいは布等のいかなるものでも良く、適用する搬送物の形状、重量、材質等に応じて、適宜選択することができる。
【００２０】
また、本発明の搬送ローラに備えられるリング部は、搬送ローラと一体成形されたものであっても良く、リング部のみを搬送ローラに嵌め合せて適宜の手段で固定されたものであっても良い。
また、本発明の搬送ローラに備えられるリング部は、補助ベルトが掛け渡される搬送ローラの全てに設けられても良く、幅方向に蛇行することを防止できれば一部の搬送ローラにのみ設けられても良い。
【００２１】
また、本発明のコンベヤフレームに備えられるガイド部材は、棒状のものであっても板状のものであっても良く、その設置数は、幅方向に蛇行することを防止できれば何か所であっても良い。また、ガイド部材をコンベヤフレームに着脱可能なボルトで構成することにより、補助ベルトの本数や掛け渡す位置を自由に設定することができ好適である。
【００２２】
さらに、本発明の複数の各搬送ローラは、フリーローラであっても良く、駆動装置により回転駆動されて搬送物を搬送するものであっても良い。
また、駆動される搬送ローラは一つでも複数でも良く、全ての搬送ローラが駆動されても良く、全ての搬送ローラがフリーローラであっても良い。
【実施例】
【００２３】
以下に、本発明の実施例であるローラコンベヤ装置について図面を基づいて説明する。
図１は、本発明の実施例であるローラコンベヤ装置の斜視図であり、図２は、本発明の第１実施例であるローラコンベヤ装置の断面図であり、図３は、本発明の第２実施例であるローラコンベヤ装置の断面図であり、図４は、本発明の第３実施例であるローラコンベヤ装置の断面図、図５は、本発明の第３実施例であるローラコンベヤ装置のガイド部材の拡大図である。
【００２４】
まず、本発明の実施例であるローラコンベヤ装置１００は、図１に示すように、コンベヤフレーム１３０に複数の搬送ローラ１１０がその軸１２０周りに回転可能に並列配置されて保持されており、複数の搬送ローラ１１０の頂点を結ぶ仮想平面を搬送面として搬送物Ｗが載置されるよう構成され、各搬送ローラ１１０は、図示しない駆動装置により回転駆動されて搬送物Ｗを搬送する。
【００２５】
そして、複数の搬送ローラ１１０に渡って、搬送ローラ１１０の幅より狭い無端状の補助ベルト１４０が搬送ローラ１１０の幅方向に２本並行に掛け渡されており、各搬送ローラ１１０の間の凹部１５０において搬送物Ｗの底面の一部を補助ベルト１４０が支持し、変形や乗り継ぎ時の相対角度によって搬送物Ｗが各搬送ローラ１１０の間の凹部１５０に入り込むことを防止している。
なお、図１では搬送方向の両端の搬送ローラ１１０には補助ベルト１４０は掛け渡されていないが、両端を含む全ての搬送ローラ１１０に掛け渡しても良い。
【００２６】
そこで、本発明の第１実施例であるローラコンベヤ装置１００の搬送ローラ１１０について説明すると、図２に示すように、搬送ローラ１１０はその外周面の幅方向の４個所にリング部１１１が形成されており、掛け渡された２本の補助ベルト１４０を２個所ずつのリング部１１１が対になって幅方向両側からガイドすることにより、補助ベルト１４０が搬送ローラ１１０の幅方向に蛇行することを防止している。
【００２７】
次に、本発明の第２実施例であるローラコンベヤ装置の搬送ローラ２１０について説明すると、図３に示すように、搬送ローラ２１０はその外周面の幅方向の２個所に溝部２１２が形成されており、掛け渡された補助ベルト１４０が２個所の溝部２１２に収容されることで幅方向両側からガイドされ、補助ベルト１４０が搬送ローラ２１０の幅方向に蛇行することを防止しているとともに、補助ベルト１４０の厚みによる搬送面の段差が少なくなっている。
【００２８】
そして、本発明の第３実施例であるローラコンベヤ装置の搬送ローラ３１０およびコンベヤフレーム３３０について説明すると、図４に示すように、コンベヤフレーム３３０にはガイド部材であるガイドボルト３３１を螺合するナット３３２が固定されており、搬送ローラ３１０はその外周面が平滑な円筒状で補助ベルト１４０が掛け渡されている。コンベヤフレーム３３０の、補助ベルト１４０が掛け渡された隣り合う搬送ローラ３１０の間の凹部３５０に位置するナット３３２には、ガイド部材としてのガイドボルト３３１が４本立設され、掛け渡された２本の補助ベルト１４０を２本ずつのガイドボルト３３１が対になって幅方向両側からガイドすることにより、補助ベルト１４０が搬送ローラ３１０の幅方向に蛇行することを防止している。
ガイド部材は、図４に示すように、ガイドボルト３３１が直接補助ベルト１４０と摺接するように構成されても良く、図５に一部拡大して示すように、ガイドローラ３３３をガイドボルト３３１に遊嵌したものでも良く、ガイドローラ３３３の形状も、補助ベルト１４０をガイドするものであればいかなる形状でも良い。
また、ガイド部材の固定手段も、ナット３３２への螺着に限定されるものではなく、コンベヤフレーム３３０に固定されるものであれば溶接や嵌着等でもよく、その具体的な形態は如何なるものでも良い。
【００２９】
このようにして得られた本発明の第１実施例乃至第３実施例のローラコンベヤ装置によれば、ローラコンベヤ装置本来の利点である搬送ローラ間の凹部を利用した搬送物のスライドや滞留等のため各種付加装置の設置が可能であるとともに、各搬送ローラの間の凹部において搬送物の底面の一部を補助ベルトが支持し、変形や乗り継ぎ時の相対角度によって搬送物が各搬送ローラの間の凹部に入り込むことを防止できるため、搬送能力が低下したり、搬送物が停止して滞留したりすることなく搬送することができる。
【００３０】
さらに、搬送物の変形が防止され各搬送ローラの間の凹部に入り込むことを防止できることにより、搬送ローラの間隔を大きく設定することができるため、ローラコンベヤ装置の製造コストが削減できるとともに、搬送ローラ間の凹部を利用した搬送物のスライドや滞留等のため各種付加装置の設置の自由度が大幅に向上するなど、その効果は甚大である。
【００３１】
また、本発明の第３実施例のローラコンベヤ装置によれば、コンベヤフレームにあらかじめ多数の所定位置にナットのみを固定しておけば、ガイドボルトの着脱作業のみで搬送物の種類や搬送条件に応じた多種多様な補助ベルトの掛け渡し形態に簡単に対応することができる。
【図面の簡単な説明】
【００３２】
【図１】本発明の実施例であるローラコンベヤ装置の斜視図。
【図２】本発明の第１実施例であるローラコンベヤ装置の断面図。
【図３】本発明の第２実施例であるローラコンベヤ装置の断面図。
【図４】本発明の第３実施例であるローラコンベヤ装置の断面図。
【図５】本発明の第３実施例であるローラコンベヤ装置のガイド部材の拡大図。
【図６】従来のローラコンベヤ装置の斜視図。
【図７】従来のローラコンベヤ装置の一部拡大断面図。
【図８】従来の補助ベルトを使用したローラコンベヤ装置の側面図。
【図９】従来の補助ベルトを使用したローラコンベヤ装置の正面図。
【符号の説明】
【００３３】
１００，                ５００，６００      ・・・ローラコンベヤ装置
１１０，２１０，３１０，５１０，６１０    ・・・搬送ローラ
１１１                                  ・・・リング部
２１２                          ・・・溝部
５１５          ・・・頂点
１２０，２２０，３２０，５２０            ・・・軸
１３０，２３０，３３０，５３０，６３０    ・・・コンベヤフレーム
３３１                  ・・・ガイドボルト
３３２                  ・・・ガイドナット
１４０                          ６４０    ・・・補助ベルト
１５０，２５０，３５０，５５０，６５０    ・・・凹部
５９０            ・・・分岐コンベア装置
Ｗ                                        ・・・搬送物
【図１】
2009208949.tif 000003
【図２】
2009208949.tif 000004
【図３】
2009208949.tif 000005
【図４】
2009208949.tif 000006
【図５】
2009208949.tif 000007
【図６】
2009208949.tif 000008
【図７】
2009208949.tif 000009
【図８】
2009208949.tif 000010
【図９】
2009208949.tif 000011